(57)【要約】【課題】街路灯の蓋部を広く開放してランプのメンテナンスを容易に行い得る無電極ランプを備えた街路灯の開閉構造を提供する。【解決手段】無電極ランプを備えた街路灯の開閉構造は、無電極ランプＬが固定設置される胴部１０と、胴部１０に無電極ランプＬが収容されて外部と遮蔽されるように、胴部１０に着脱自在に備えられる蓋部２０と、蓋部２０を胴部１０の長手方向に沿って開閉させるために備えられる開閉ユニットとを含む。開閉ユニットは、胴部１０と蓋部２０との間に設けたリンク部材３０で構成することができる。【選択図】図１
2006253121.tif 000002
【特許請求の範囲】
【請求項１】
無電極ランプが固定設置される胴部と、
前記胴部に前記無電極ランプが収容されて外部と遮蔽されるように、前記胴部に着脱自在に備えられる蓋部と、
前記蓋部を前記胴部の長手方向に沿って開閉させるために備えられる開閉ユニットと、
を含むことを特徴とする無電極ランプを備えた街路灯の開閉構造。
【請求項２】
前記胴部及び蓋部の閉状態を維持するためのロックユニットをさらに含むことを特徴とする請求項１に記載の無電極ランプを備えた街路灯の開閉構造。
【請求項３】
前記開閉ユニットは、その両端が前記胴部及び前記蓋部の一地点にそれぞれ回動自在に結合されるリンク部材であることを特徴とする請求項１に記載の無電極ランプを備えた街路灯の開閉構造。
【請求項４】
前記開閉ユニットは、その両端が前記胴部及び前記蓋部の一地点にそれぞれ回動自在に結合され、その中間で折り畳まれる複数のリンク部材であることを特徴とする請求項１に記載の無電極ランプを備えた街路灯の開閉構造。
【請求項５】
前記開閉ユニットが、前記胴部と前記蓋部との接触面のいずれか一面に形成されたスライド溝と、他の一面に形成されて前記スライド溝にスライド自在に結合されるスライド突起とから構成されることを特徴とする請求項１に記載の無電極ランプを備えた街路灯の開閉構造。
【請求項６】
前記ロックユニットは、前記蓋部の閉状態で、該蓋部の動きを防止するように、前記胴部の一側及び該胴部の一側と対応する前記蓋部の一側に備えられて相互支持する複数のフック突起と、前記胴部の他側及び該胴部の他側と対応する前記蓋部の他側に備えられて互いに噛み合うクリップ及びロック突起とからなることを特徴とする請求項２に記載の無電極ランプを備えた街路灯の開閉構造。
【請求項７】
前記胴部及び前記蓋部のいずれか一方に、前記リンク部材の回動角度を制限するリンク係止段が形成されることを特徴とする請求項３に記載の無電極ランプを備えた街路灯の開閉構造。
【請求項８】
前記リンク係止段が、前記蓋部の開放時、前記無電極ランプが前記胴部の外部に完全に露出する位置に形成されることを特徴とする請求項７に記載の無電極ランプを備えた街路灯の開閉構造。
【請求項９】
無電極ランプが固定設置される胴部と、
前記胴部に前記無電極ランプが収容されて外部と遮蔽されるように、前記胴部に着脱自在に備えられる蓋部と、
前記蓋部が前記胴部の長手方向に沿って開閉されるように、前記胴部と前記蓋部との接触面のいずれか一面に形成されたスライド溝、及び他の一面に形成されて前記スライド溝にスライド自在に結合されるスライド突起と、
を含むことを特徴とする無電極ランプを備えた街路灯の開閉構造。
【請求項１０】
前記胴部及び蓋部の閉状態を維持するためのロックユニットをさらに含むことを特徴とする請求項９に記載の無電極ランプを備えた街路灯の開閉構造。
【請求項１１】
前記ロックユニットは、
前記胴部と前記蓋部との接触面のいずれか一面に貫通形成された挿入孔と、
他の一面に形成されて前記挿入孔に挿合されるフック突起と、
から構成されることを特徴とする請求項１０に記載の無電極ランプを備えた街路灯の開閉構造。
【発明の詳細な説明】
【技術分野】
【０００１】
本発明は、無電極ランプを備えた街路灯の開閉構造に関し、特に、街路灯の蓋部を広く開放してランプのメンテナンスを容易に行い得る無電極ランプを備えた街路灯の開閉構造に関する。
【背景技術】
【０００２】
一般に、無電極ランプは、マグネトロンから発生する電磁波が電球内のバッファガスをプラズマ状態にして金属化合物から光を連続的に発散させることにより、電極を備えなくても優れた光量を提供することができる機器である。
【０００３】
このような無電極ランプは、白熱灯や蛍光灯に比べて、ランプの寿命が長く、照明効果が優れており、工場やビルなどの大型建物はもちろん、一般住宅やマンションなどの住居用建物と道路の街路灯に至るまで、照明が必要であれば何処にも多様に適用することができるため、近年、その使用頻度が高くなっている。
【発明の開示】
【発明が解決しようとする課題】
【０００４】
ところが、無電極ランプが設置された街路灯は、無電極ランプの寿命がきて交換する場合、その設置位置が高いだけでなく、主に道路周辺に設置されているため、無電極ランプの交換作業や修理作業時間が長くなり、作業者が危険にさらされる時間が長いという問題があった。
【０００５】
そこで本発明は、街路灯の蓋部を広く開放することにより、ランプのメンテナンスを容易に行うことができ、作業者が危険にさらされる時間を短縮できる無電極ランプを備えた街路灯の開閉構造を提供することを目的とする。
【課題を解決するための手段】
【０００６】
このような目的を達成するために、本発明に係る無電極ランプを備えた街路灯の開閉構造は、無電極ランプが固定設置される胴部と、この胴部に無電極ランプが収容されて外部と遮蔽されるように、胴部に着脱自在に備えられる蓋部と、この蓋部を胴部の長手方向に沿って開閉させるために備えられる開閉ユニットとを含むことを特徴とする。
【発明の効果】
【０００７】
本発明に係る無電極ランプを備えた街路灯の開閉構造は、無電極ランプを備えた街路灯の開閉時間を短縮することにより、無電極ランプを使用する街路灯の修理、又は無電極ランプの交換を行う場合に、作業者が道路周辺などの危険地域で街路灯のような高所で作業する時間を短縮して、事故の危険から作業者を保護し得るという効果がある。
【発明を実施するための最良の形態】
【０００８】
以下、本発明に係る無電極ランプを備えた街路灯の開閉構造の好ましい実施形態について、添付の図面に基づいて説明する。
【０００９】
図１は本発明の第１実施形態に係る無電極ランプＬを備えた街路灯の蓋部２０の開状態を示す側面図であり、図２は本発明の第１実施形態に係る無電極ランプＬを備えた街路灯の蓋部２０の閉状態を示す側面図であり、図３は本発明の第１実施形態に係る無電極ランプＬを備えた街路灯の胴部１０の構造を示す平面図であり、図４は本発明の第１実施形態に係る無電極ランプＬを備えた街路灯の蓋部２０の構造を示す背面図であり、図５は本発明の第２実施形態に係る無電極ランプＬを備えた街路灯の構造を示す側面図であり、図６は本発明の第３実施形態に係る無電極ランプＬを備えた街路灯の構造を示す側面図である。
【００１０】
図示のように、本発明に係る無電極ランプＬを備えた街路灯は、無電極ランプＬが固定設置される胴部１０と、胴部１０に無電極ランプＬが収容されて外部と遮蔽されるように、胴部１０に着脱自在に備えられる蓋部２０と、蓋部２０を胴部１０の長手方向に沿って開閉させるために備えられる開閉ユニットとを含む。また、胴部１０と蓋部２０とはロックユニットによってロックされる。
【００１１】
胴部１０は、図３に示すように、無電極ランプＬが収容できるように所定広さを有する板状の低面部１１と、低面部１１の周縁部に低面部１１の厚さ方向に沿って所定高さを有するように形成される第１側面部１２と、低面部１１の一端に蓋部２０の蓋部側フック突起２３に係合するように備えられる胴部側フック突起１３と、低面部１１の他端に蓋部２０のクリップ２４に挟まれて堅固に係合されるように備えられるロック突起１４とから構成される。
【００１２】
また、第１側面部１２の両側面には、後述するリンク部材３０のヒンジ孔（符号なし）に挿入されて回転中心となるように、低面部１１の幅方向に沿って所定長さだけ突出形成されるヒンジ突起１５が対向する位置に形成されている。また、ヒンジ突起１５の近傍には、リンク部材３０の回転を止めるためのリンク係止段１６が備えられる。
【００１３】
蓋部２０は、図４に示すように、低面部１１と対応する高面部２１と、高面部２１の周縁部に高面部２１の厚さ方向に沿って所定高さを有するように形成され、第１側面部１２と接触する第２側面部２２と、第２側面部２２の一端に突出形成され、胴部側フック突起１３に係合するように備えられる蓋部側フック突起２３と、第２側面部２２の他端に形成され、胴部１０のロック突起１４を挟んで係合するように備えられるクリップ２４とから構成される。
【００１４】
また、第２側面部２２の両側には、蓋部２０を開く場合、後述するリンク部材３０の他端のヒンジ孔（符号なし）に挿入されて回転中心となるヒンジ突起２５が、対向する位置に形成されている。
【００１５】
リンク部材３０は、図１及び図２に示すように、単一リンク部材３０で形成してその両端にそれぞれヒンジ孔を形成することもでき、図５に示す本発明の第２実施形態のように、その中間で折り畳まれる複数のリンク部材３０で形成することもできる。
【００１６】
ここで、単一リンク部材３０は、開放時、蓋部２０が無電極ランプＬを完全に露出させることができる長さに形成することが好ましく、単一リンク部材３０の端部には、蓋部２０のヒンジ突起２５が単一リンク部材３０の長手方向に摺動することによって開閉されるように摺動溝（図示せず）を形成することもできる。
【００１７】
以下、このように構成された本発明に係る無電極ランプを備えた街路灯の動作について説明する。
【００１８】
まず、蓋部２０を閉じる場合は、単一リンク部材３０の一端を胴部１０のヒンジ突起１５を中心に反時計方向に回動させて蓋部２０を胴部１０の上面に載置させ、蓋部２０のフック突起２３を胴部１０のフック突起１３に係合させた後、蓋部２０のクリップ２４で胴部１０のロック突起１４を挟んで係合する。
【００１９】
次に、蓋部２０を開く場合は、胴部１０と蓋部２０とのロックを外した後、単一リンク部材３０の一端を胴部１０のヒンジ突起１５を中心に時計方向に回転させて蓋部２０を胴部１０の上面から外す。このとき、第１側面部１２の両側面に形成されたリンク係止段１６に単一リンク部材３０が係止されてその回動が制限されることによって、蓋部２０の開状態が維持される。
【００２０】
図６は本発明の第３実施形態に係る無電極ランプを備えた街路灯の構造を示し、前述の実施形態の構成と同じ部分には同一符号を付してその詳細な説明は省略する。
【００２１】
図６に示すように、本発明の第３実施形態に係る無電極ランプＬを備えた街路灯は、無電極ランプが固定設置される胴部１０と、胴部１０に無電極ランプが収容されて外部と遮蔽されるように、胴部１０に着脱自在に備えられる蓋部２０と、蓋部２０が胴部１０の長手方向に沿って開閉されるように、胴部１０と蓋部２０との接触面のいずれか一面に形成されたスライド溝１７と、他の一面に形成されてスライド溝１７にスライド自在に結合されるスライド突起２６とを含む。
【００２２】
胴部１０及び蓋部２０は、閉状態を維持し得るように、胴部１０と蓋部２０との接触面のいずれか一面には挿入孔１８が貫通形成され、他の一面には挿入孔１８に挿合されるフック突起２７が突出形成されている。
【００２３】
以下、このように構成された本発明の第３実施形態に係る無電極ランプを備えた街路灯の動作について説明する。
【００２４】
蓋部２０を閉じる場合は、胴部１０の長手方向に沿って蓋部２０を後方（図６における左）にスライド運動させると、スライド溝１７に収容されていたスライド突起２６がスライド溝１７に沿って後方に移動し、スライド運動によりフック突起２７が挿入孔１８と接触して挿合されることによって、蓋部２０の閉状態が維持される。
【００２５】
次に、蓋部２０を開く場合は、胴部１０の長手方向に沿って蓋部２０を前方（図６における右）にスライド運動させると、フック突起２７が挿入孔１８から離脱し、スライド溝１７に収容されていたスライド突起２６がスライド溝１７に沿って前方に移動してスライド溝１７の端部に接触することによって、蓋部２０の開状態が維持される。
【図面の簡単な説明】
【００２６】
【図１】本発明の第１実施形態に係る無電極ランプを備えた街路灯の蓋部の開状態を示す側面図である。
【図２】本発明の第１実施形態に係る無電極ランプを備えた街路灯の蓋部の閉状態を示す側面図である。
【図３】本発明の第１実施形態に係る無電極ランプを備えた街路灯の胴部の構造を示す平面図である。
【図４】本発明の第１実施形態に係る無電極ランプを備えた街路灯の蓋部の構造を示す背面図である。
【図５】本発明の第２実施形態に係る無電極ランプを備えた街路灯の構造を示す側面図である。
【図６】本発明の第３実施形態に係る無電極ランプを備えた街路灯の構造を示す側面図である。
【符号の説明】
【００２７】
１０    胴部
１１    低面部
１２    第１側面部
１３    胴部側フック突起
１４    ロック突起
１５    ヒンジ突起
１６    リンク係止段
１７    スライド溝
１８    挿入孔
２０    蓋部
２１    高面部
２２    第２側面部
２３    蓋部側フック突起
２４    クリップ
２５    ヒンジ突起
２６    スライド突起
２７    フック突起
３０    リンク部材
【図１】
2006253121.tif 000003
【図２】
2006253121.tif 000004
【図３】
2006253121.tif 000005
【図４】
2006253121.tif 000006
【図５】
2006253121.tif 000007
【図６】
2006253121.tif 000008